(57)【要約】【課題】補間精度の高いルックアップテーブルを作成する。【解決手段】出力画像データＯＧＤのｗＲＧＢ色空間の無彩色軸において代表出力点ＲＯＧが略均等に分布するように入力画像データＩＧＤのＲＧＢ色空間における複数の代表入力点ＲＩＧを選択しておく。そして、複数の代表入力点ＲＩＧと、当該代表入力点ＲＩＧを変換プロファイルＴＦＰ１〜ＴＦＰ５によって変換して得られた代表出力点ＲＯＧとの対応関係を規定したルックアップテーブルを作成する。【選択図】図７
2008227954.tif 000002
【特許請求の範囲】
【請求項１】
所定の変換プロファイルによって入力画像データを色空間の異なる出力画像データに変換する際に参照するルックアップテーブルを作成するルックアップテーブル作成方法であって、
上記入力画像データの色空間における複数の入力点と、当該入力点を上記変換プロファイルによって変換して得られた出力点との対応関係を規定したルックアップテーブルを作成するにあたり、上記出力画像データの色空間の少なくとも一部において上記出力点が略均等に分布するように上記入力点を選択することを特徴とするルックアップテーブル作成方法。
【請求項２】
上記出力画像データの色空間において無彩色が分布する線において上記出力点が明度に関して略均等に分布するように上記入力点を選択することを特徴とする請求項１に記載のルックアップテーブル作成方法。
【請求項３】
上記出力画像データの色空間において無彩色が分布する線において上記出力点が明度に関して略均等に分布させる上記入力点に基づいて上記入力画像データの色空間全体における上記入力点を選択することを特徴とする請求項２に記載のルックアップテーブル作成方法。
【請求項４】
上記入力画像データの色空間から選択された複数のサンプル入力点を上記変換プロファイルによって変換して得られたサンプル出力点の上記出力画像データの色空間における分布状況に基づいて上記入力点を選択することを特徴とする請求項１から請求項３のいずれか一項に記載のルックアップテーブル作成方法。
【請求項５】
上記出力画像データの色空間の少なくとも一部において略均等に分布する上記サンプル出力点を抽出するとともに、当該抽出されたサンプル出力点の変換元となる上記サンプル入力点を上記入力点として選択することを特徴とする請求項４に記載のルックアップテーブル作成方法。
【請求項６】
上記サンプル入力点と上記サンプル出力点との対応関係を示す曲線の当該サンプル入力点と当該サンプル出力点の等値軸に関して対称な対称曲線を取得し、上記サンプル入力点の値域において均等に分布する上記サンプル入力点に当該対称曲線にて対応する上記サンプル出力点の値を上記入力点として選択することを特徴とする請求項４に記載のルックアップテーブル作成方法。
【請求項７】
上記入力画像データの色空間と上記出力画像データの色空間は、ともにＲＧＢ値で色を表現する色空間であり、同一のＲＧＢ値が表す絶対的な色の一部またはすべてが互いに異なることを特徴とする請求項１から請求項６のいずれか一項に記載のルックアップテーブル作成方法。
【請求項８】
所定の変換プロファイルによって入力画像データを色空間の異なる出力画像データに変換する画像処理装置であって、
上記ルックアップテーブル作成方法によって作成された上記ルックアップテーブルを使用して入力画像データを出力画像データに変換する変換手段を具備することを特徴とする請求項１から請求項７のいずれか一項に記載の画像処理装置。
【請求項９】
少なくとも２以上の一連の変換プロファイルによって入力画像データを色空間の異なる出力画像データに変換する際に参照するルックアップテーブルを作成するルックアップテーブル作成方法であって、
上記入力画像データの色空間における入力点と、上記一連の変換プロファイルによって当該入力点を順次変換して得られた出力点との対応関係を規定したルックアップテーブルを作成するにあたり、上記出力画像データの色空間の少なくとも一部において上記出力点が略均等に分布するように上記入力点を選択することを特徴とするルックアップテーブル作成方法。
【発明の詳細な説明】
【技術分野】
【０００１】
本発明は、ルックアップテーブルの作成に関する。
【背景技術】
【０００２】
画像データを解析することにより当該画像データの特徴情報を取得し、その特徴情報に基づいて最適な画質調整を自動的に行うものが提案されている（例えば、特許文献１、参照）。また、このような画像データに応じた自動画質調整を３次元ルックアップテーブルによって行うことも提案されている。かかる構成において、作成した３次元ルックアップテーブルを参照して補間処理を行うことにより、元の画像データを画質調整済みの画像データに変換することができる。ルックアップテーブルにおいては入力色空間と出力色空間との対応関係が規定されるが、特に３次元ルックアップテーブルの場合、入力色空間と出力色空間に属するすべての値の組み合わせについて対応関係を記述するとデータ量が膨大となるため、一部の代表点についてのみ対応関係を記述することによりデータ量の抑制を図っている。そして、一部の代表点の対応関係を利用して任意の入力点に対する出力点の値を算出する補間処理を行うことにより、任意の画像データの変換を可能としている。入力色空間の全体についてルックアップテーブルによる変換後の算出できることが必要であるため、代表点は入力色空間の全体に分布することが望ましい。また、代表点の疎密は補間精度の不均一さの原因となるため、代表点は入力色空間に均一に分布することが望ましい。
【特許文献１】特開２００３−６９８２６号公報
【発明の開示】
【発明が解決しようとする課題】
【０００３】
しかしながら、ルックアップテーブルに記述する代表点を入力色空間において均一に分布させたとしても、当該代表点が出力色空間において均一に分布するとは限らない。例えば、非線形的な変換特性を有する変換プロファイルにおいては、代表点が出力色空間において不均一に分布し、代表点に疎密が生じることとなる。代表点が疎となる出力色空間の領域においては、補間精度が悪くなる。代表点が疎となる出力色空間の領域においては、出力色空間において距離の離れた複数の代表点による線形補間によって変換の非線形性が失われてしまうからである。さらに、上述したように画像データに応じた画質調整を行う場合、画像データごとに変換結果が変動するため、出力色空間において均一性の高い代表点を画一的に設定することが困難であるという問題もあった。さらに、複数の一連のルックアップテーブルによって連続的な変換を行う場合、個々のルックアップテーブルについて補間精度を良好とする代表点が設定されていたとしても、全体の変換を行ったときの補間精度が良好となるとは限らないという問題もあった。
上記課題を解決するために、本発明は、補間精度の高いルックアップテーブルを作成することを目的とする。
【課題を解決するための手段】
【０００４】
上記目的を達成するために、上記入力画像データの色空間における複数の入力点を用意し、この入力点を上記変換プロファイルによって変換して出力点を得る。そして、上記入力点と上記出力点との対応関係を規定することにより、ルックアップテーブルを作成する。その際に、上記出力画像データの色空間の少なくとも一部において上記出力点が略均等に分布するように上記入力点を選択する。これにより、上記出力画像データの色空間の少なくとも一部において略均等に分布する上記出力点と上記入力点との対応関係を上記ルックアップテーブルに規定することができ、当該対応関係を利用して精度よい補間処理を実現することができる。
【０００５】
上記出力画像データの色空間の少なくとも一部において上記出力点が略均等に分布するようにすればよく、必ずしも上記出力画像データの色空間の全体において上記出力点が略均等に分布することを検証する必要はない。従って、上記出力画像データの色空間の全体における上記出力点の分布の均一性を検証するために、膨大な演算をしなくてもよい。例えば、上記出力画像データの色空間において無彩色が分布する線において上記出力点が明度に関して上記出力点が略均等に分布するように上記入力点を選択するようにすれば、簡易な演算で均一性を検証することができる。例えば、ＲＧＢ座標系の色空間においては、無彩色の領域を単一の線上に定めることができ、当該線を均等に分割する上記出力点を容易に特定することができる。無彩色の領域において上記出力点を略均等に分布させることができれば、無彩色または略無彩色について高い補間精度を実現することができ、例えばモノクロ画像等の微妙な階調表現も精度よく表現することができる。
【０００６】
一般に、ガマットマッピングの影響を受けるガマット外縁付近や高彩度領域の変換特性は特異となるため、これらの領域の変換特性が他の全体的な領域の変換特性に類似すると考えることはできない。これに対して、無彩色軸は色空間のほぼ中央を貫通するため、他の領域の変換特性も無彩色に関する変換特性に類似したものであると考えることができる。従って、無彩色の領域において上記出力点を略均等に分布させる上記入力点に基づいて、他の領域の上記入力点を選択しても問題は少ないと考えることができる。例えば、無彩色の領域において上記出力点を略均等に分布させる各入力点を通過する直交格子を上記入力画像データの色空間において生成し、その格子の交点である格子点を上記入力点として選択するようにしてもよい。このようにすることにより、空間全体の均一性の評価をすることなく、色空間全体に精度のよい補間処理が可能な上記ルックアップテーブルを作成することができる。
【０００７】
また、上記出力画像データの色空間の少なくとも一部において上記出力点が略均等に分布するように上記入力点を選択するにあたっては、予めサンプリングを行うことにより変換特性を調査しておくことが有効である。具体的には、上記入力画像データの色空間から選択された複数のサンプル入力点を上記変換プロファイルによって変換して得られたサンプル出力点の上記出力画像データの色空間における分布状況に基づいて上記入力点を選択する。すなわち、複数の上記サンプル入力点の変換結果を調査することにより上記変換プロファイルによる変換特性を把握することができる。
【０００８】
サンプリングを行う場合、上記出力画像データの色空間の少なくとも一部において略均等に分布する上記サンプル出力点を抽出するとともに、それらの変換元となる上記サンプル入力点を上記入力点として選択すればよい。また、別の手法として、上記サンプル入力点と上記サンプル出力点との対応関係を示す曲線の当該サンプル入力点と当該サンプル出力点の等値軸に関して対称な対称曲線を取得し、上記サンプル入力点の値域において均等に分布する上記サンプル入力点に当該対称曲線にて対応する上記サンプル出力点の値を上記入力点として選択するようにしても同様の上記入力点を得ることができる。
【０００９】
本発明において上記変換プロファイルは入力画像データを異なる色空間の出量画像データに変換するものであれば、どのようなものであってもよく、特に限定されることはない。例えば、ともにＲＧＢ値で色を表現する色空間であり、同一のＲＧＢ値が表す絶対的な色が互いに異なる上記入力画像データの色空間と上記出力画像データの色空間との変換を行う変換プロファイルとすることもできる。ＲＧＢ座標系の色空間においては、無彩色の領域を単一の線上に定めることができ、当該線を均等に分割する上記出力点を容易に特定することができるとともに、同一の座標軸について入出力特性を把握することができる。さらに、上記変換プロファイルは単数に限られず、一連の複数の変換プロファイルによる変換を上記ルックアップテーブルによって行うようにしてもよい。この場合、個々の変換プロファイルについてではなく、全体の一連の変換に対して最適な上記入力点と上記出力点を選択することができる。
【００１０】
なお、本発明の技術的思想は、上記ルックアップテーブルを作成するルックアップテーブル作成方法のみならず、当該ルックアップテーブル作成方法を実現するルックアップテーブル作成装置の発明としても捉えることができる。また、コンピュータ等のハードウェアと協働して上記ルックアップテーブル作成方法を実現させるルックアップテーブル作成プログラムにおいても具体的に実現可能なことは言うまでもない。また、本発明のルックアップテーブル作成装置は、単体として存在するものに限られず、ある装置の一部として組み込まれる場合もある。例えば、本発明のルックアップテーブル作成装置の機能を一部に備えた印刷装置や画像処理装置やパーソナルコンピュータにおいても本発明が実現できることはいうまでもない。また、本発明のルックアップテーブル作成方法を実現する各ハードウェアが複数の実体的な装置における分散処理によって実現されるものであってもよい。例えば、本発明のルックアップテーブル作成装置の一部の手段がパーソナルコンピュータにて実現され、他の手段が印刷装置にて実現されるものであってもよい。むろん、本発明のルックアップテーブル作成装置の各手段がネットワークを介して分散していてもよい。
【発明を実施するための最良の形態】
【００１１】
以下、下記の順序に従って本発明の実施形態を説明する。
（１）画像変換装置の構成：
（２）画像変換処理：
（３）変形例：
【００１２】
（１）画像変換装置の構成
図１は、本発明の一実施形態にかかるルックアップテーブル作成装置を一部に含む画像変換装置を実現するコンピュータのハードウェアおよびソフトウェア構成を概略的に示している。同図において、コンピュータ１０は、バス１０ａによって各構成要素を相互に通信可能に接続することにより形成されている。コンピュータ１０は、ＣＰＵ１１とＲＡＭ１２とからなる制御部Ｃと、ＲＯＭ１３と、磁気ディスクに大容量のデータを記録するハードディスク（ＨＤＤ）１４と、外部のプリンタ２０とデジタルスチルカメラ（ＤＳＣ）３０を接続するＵＳＢＩ／Ｆ１５と、外部のディスプレイ４０を接続するビデオＩ／Ｆ１６と、外部のキーボード５０ａやマウス５０ｂ等の入力機器を接続する入力Ｉ／Ｆ１７とを有している。なお、厳密には各構成要素に応じてバス１０ａにおけるデータ通信方式が異なるが、図示しないチップセットによって各構成要素が相互に通信可能となるように調整されている。
【００１３】
ＣＰＵ１１はＲＯＭ１３およびＨＤＤ１４からプログラムデータ１３ａ，１４ａを読み出してＲＡＭ１２上に展開することにより、ＢＩＯＳ、および、ＢＩＯＳ上のオペレーティングシステム（ＯＳ）、および、ＯＳ上のプリントアプリケーションＰを制御部Ｃにて実行させる。ＯＳやプリントアプリケーションＰやプリンタドライバＤの実行に必要なプログラムデータ１４ａは、予めＨＤＤ１４にインストールされている。ただし、プログラムデータ１４ａは、ＨＤＤ１４に限られず、他の光ディスクドライブやフラッシュメモリ等に記録されていてもよい。図示しないが制御部ＣにおいてはＤＳＣ３０に備えられたフラッシュメモリ３１にアクセスするためのドライバやディスプレイ４０にて画像を出力するためのドライバが実行されている。
【００１４】
プリントアプリケーションＰは、ディスプレイ４０に表示したＵＩ画面を見ながらユーザーがキーボード５０ａやマウス５０ｂを操作することにより指定された入力画像データＩＧＤを読み出してプリンタ２０にて印刷するために必要な一連の処理を実行する。入力画像データＩＧＤは、ＨＤＤ１４から取得されてもよいし、ＤＳＣ３０のフラッシュメモリ３１から取得されてもよいし、他の記録媒体や通信媒体から取得されてもよい。プリントアプリケーションＰは複数のモジュールＭ１〜Ｍ６によって構成され、これらのモジュールＭ１〜Ｍ６を制御部Ｃが実行することにより本発明の各手段が具体的に実現される。
【００１５】
変換手順設定部Ｍ１は、入力画像データＩＧＤの色空間と、後段の印刷データ生成部Ｍ６に出力可能な出力画像データＯＧＤの色空間とを取得し、基本的には入力画像データＩＧＤの色空間から最終的に出力画像データＯＧＤの色空間へ変換するための一連の変換手順を設定する。ここでは、ＤＳＣ３０等のソース（入力側）ＩＣＣプロファイルや、プリンタ２０等のディスティネーション（出力側）ＩＣＣプロファイルによる変換も一連の変換手順に組み入れられることとなる。
【００１６】
代表点選択部Ｍ２は、ルックアップテーブル（以下、ＬＵＴと表記する。）に対応関係を規定する代表点（代表入力点ＲＩＧ）を選択する。本実施形態においては、出力画像データＯＧＤの色空間の全体において略均一に分布する代表点（代表出力点ＲＯＧ）に対応する格子点（例えば、１７3個の格子点。）を代表入力点ＲＩＧとして選択する。具体的には、サンプル入力点ＳＩＰを一連の変換プロファイルによって順次変換したサンプル出力点ＳＯＰを得るとともに、サンプル出力点ＳＯＰのうち均等に分布するものを抽出する。そして、抽出したサンプル出力点ＳＯＰの変換元となるサンプル入力点ＳＩＰを代表入力点ＲＩＧとして選択する。さらに、これらの代表入力点ＲＩＧに基づいて入力画像データＩＧＤの色空間にて直交格子を発生させ、当該格子点上の点も代表入力点ＲＩＧとして選択する。
【００１７】
逐次変換部Ｍ３は、入力画像データＩＧＤの色空間で表される各代表入力点ＲＩＧや各サンプル入力点ＳＩＰを変換手順設定部Ｍ１が設定した一連の変換プロファイルによって順次変換することにより、最終的に出力画像データＯＧＤの色空間で表される各代表出力点ＲＯＧやサンプル出力点ＳＯＰを取得する。ＬＵＴ作成部Ｍ４は、逐次変換部Ｍ３による変換前後の各代表入力点ＲＩＧと各代表出力点ＲＯＧとの複数の対応関係を規定したＬＵＴをＲＡＭ１２上に作成する。ＬＵＴ変換部Ｍ５は、入力画像データＩＧＤを取得するとともに、ＬＵＴを参照することにより入力画像データＩＧＤを出力画像データＯＧＤに変換する。この変換の際には補間処理が行われる。変換された出力画像データＯＧＤは、印刷データ生成部Ｍ６に出力され、印刷データ生成部Ｍ６にてプリンタ２０が処理可能な印刷データに変換される。例えば、プリンタ２０が使用可能なインク量空間への変換処理やハーフトーン処理やマイクロウィーブ処理等が順次行われ、プリンタ２０にて印刷が実行される。
【００１８】
（２）画像変換処理
図２は、以上の構成において実行される画像変換処理の流れを示している。ステップＳ１００においては、変換手順設定部Ｍ１が印刷対象とする入力画像データＩＧＤの指定を受け付け、当該入力画像データＩＧＤを取得する。ここでは、ＨＤＤ１４に記憶されたＲＧＢ画像データが指定されたものとして説明する。次のステップＳ１１０において、変換手順設定部Ｍ１が一連の変換手順を設定する。
【００１９】
図３は、ステップＳ１１０にて設定される変換手順の一例を示している。同図に示すように、本実施形態では、入力画像データＩＧＤに対して５個の変換プロファイルＴＦＰ１〜ＴＦＰ５による変換を順次行うことにより出力画像データＯＧＤを得る手順が変換手順設定部Ｍ１によって設定されている。当該変換手順によれば、ＹＣｂＣｒ色空間の入力画像データＩＧＤが順次変換され、最終的にｗＲＧＢ色空間の出力画像データＯＧＤに変換することができる。
【００２０】
まず、第１の変換プロファイルＴＦＰ１として、ＲＧＢの色信号をそれぞれ個別にガンマ補正することにより、ｓＲＧＢ色空間の色信号に変換するものが設定されている。ここで使用するガンマ値はＤＳＣ３０の入力特性に適合したものがソースＩＣＣプロファイルの一部として指定されている。次の第２の変換プロファイルＴＦＰ２として、ｓＲＧＢ色空間で表された色信号をＸＹＺの色信号に変換するものが設定されている。ＸＹＺ色空間もＣＩＥ規格に規定された絶対色空間であり、所定の行列変換式を第２の変換プロファイルＴＦＰ２として与えることによって、ｓＲＧＢの色信号をＸＹＺの色信号に変換することができる。以上の変換手順により、ＤＳＣ３０によって撮影した入力画像データＩＧＤの各画素の色信号が真に意味する色をＸＹＺ色空間にて特定できる。
【００２１】
次の第３の変換プロファイルＴＦＰ３として、ＸＹＺの色信号を別の絶対色空間であるＬ*ａ*ｂ*（以下、単にＬａｂと表記する。）色空間に変換するものが設定されている。ＸＹＺ色空間からＬａｂ色空間への変換を行う第３の変換プロファイルＴＦＰ３は、ＣＩＥ規格に準じた変換式によって与えることができる。次の第４の変換プロファイルＴＦＰ４として、Ｌａｂの色信号をｗＲＧＢ色空間のＲＧＢ色信号に変換するものが設定されている。第４の変換プロファイルＴＦＰ４は、Ｌａｂ色空間とｗＲＧＢ色空間との対応関係を規定したプロファイルであり、ｗＲＧＢ色空間の設計規格から入手することができる。なお、ｗＲＧＢ色空間とはＲＧＢの各色信号によって空間座標が特定されるとともに、各座標が意味する絶対的な色が取り得るガマットがｓＲＧＢ色空間のガマットよりも広くなるように設計された色空間である。従って、同一のＲＧＢ値であっても、第１の変換プロファイルＴＦＰ１に入力するＲＧＢ値と、変換プロファイルＴＦＰ５にて入出力されるＲＧＢ値が表す絶対的な色が互いに異なるものとなっている。なお、プリンタ２０は、ｗＲＧＢ色空間のＲＧＢ色信号で表された出力画像データＯＧＤを取り扱うことが可能となっている。
【００２２】
最後の第５の変換プロファイルＴＦＰ５として、プリンタ２０の出力特性に応じたガンマ値によってガンマ補正を行うものが設定されている。このガンマ値は、プリンタ２０についてのディスティネーションＩＣＣプロファイルの一部として指定されている。変換手順設定部Ｍ１は、入力画像データＩＧＤの色空間とプリンタ２０に出力可能な出力画像データＯＧＤの色空間を認識し、入力画像データＩＧＤの色空間から出発し最終的に出力画像データＯＧＤの色空間に変換されるような一連の変換手順を設定する。必要となる各種変換プロファイルＴＦＰ１〜ＴＦＰ５は、入力画像データＩＧＤの埋め込み情報やＨＤＤ１４から取得することができる。以上の変換手順は、あくまでも一例であり、本発明は他の変換手順においても適用することができる。次のステップＳ１２０においては、代表点選択部Ｍ２がＬＵＴに対応関係を規定する代表入力点ＲＩＧを、後述する代表入力点選択処理によって選択する。
【００２３】
図４は、代表入力点選択処理の流れを詳細に示している。まず、ステップＳ１２１において、代表点選択部Ｍ２がサンプル入力点ＳＩＰを選択する。ここでは、入力画像データＩＧＤの色空間であるＲＧＢ色空間における無彩色軸上の点をサンプル入力点ＳＩＰとして選択する。
【００２４】
図５ａは、サンプル入力点ＳＩＰの一覧を示している。同図において、Ｒ＝Ｇ＝Ｂ＝０〜２５５の無彩色グラデーションを表す２５６個のサンプル入力点ＳＩＰが選択されている。つまり、図５ｂに示すように入力画像データＩＧＤの色空間であるＲＧＢ色空間の中央を貫通する無彩色軸上に存在するサンプル入力点ＳＩＰが選択される。なお、本実施形態では２５６階調の入力画像データＩＧＤを対象として処理を行うものを例示するが、他の階調数の入力画像データＩＧＤについても本発明による処理を同様に行うことができる。ステップＳ１２２においては、代表点選択部Ｍ２が各サンプル入力点ＳＩＰを逐次変換部Ｍ３に受け渡し、逐次変換部Ｍ３が各サンプル入力点ＳＩＰを上述した変換手順によって順次変換する。
【００２５】
図６は、サンプル入力点ＳＩＰを変換プロファイルＴＦＰ１〜ＴＦＰ５によって順次変換する様子を模式的に示している。このときの変換順序は、変換手順設定部Ｍ１がステップＳ１１０にて設定した一連の変換手順と同一とされる。従って、サンプル入力点ＳＩＰとしてのＲＧＢの色信号を入力し、変換プロファイルＴＦＰ１〜ＴＦＰ５によって順次変換していくことにより、最終的に出力画像データＯＧＤの色空間であるｗＲＧＢの色信号を得ることができる。最終的に得られたｗＲＧＢ色空間のＲＧＢ信号をサンプル出力点ＳＯＰと示すものとする。なお、本実施形態においては変換プロファイルＴＦＰ１〜ＴＦＰ５のいずれもが無彩色のカラーバランスを維持する変換プロファイルであり、すべてのサンプル出力点ＳＯＰもＲＧＢが等値な無彩色に変換されるものとする。すべてのサンプル入力点ＳＩＰについてサンプル出力点ＳＯＰを求めるサンプリングが完了すると、ステップＳ１２３においてサンプル出力点ＳＯＰの分布状況に基づいて代表入力点ＲＩＧを選択する処理を行う。
【００２６】
図７は、ステップＳ１２３において代表入力点ＲＩＧを選択する様子を示している。図７ａにおいては、横軸にサンプル入力点ＳＩＰのＲチャネルの値（ｒｉ）を示し、縦軸にサンプル出力点ＳＯＰのＲチャネルの値（ｒｏ）を示している。図７ａに示すように変換プロファイルＴＦＰ１〜ＴＦＰ５を経ることにより、線形的なグラデーションを示す入力値ｒｉが非線形の出力値ｒｏに変換されている。なお、実体的には図７ｂに示すように、入力値ｒｉと出力値ｒｏとの対応関係を特定した１次元ＬＵＴがＲＡＭ１２上に生成されることとなる。ステップＳ１２３においては、図７ａに示す入力値ｒｉと出力値ｒｏとの入出力曲線ＣＣの、入力値ｒｉと出力値ｒｏの等値軸ＥＡに関して線対称な対称曲線ＭＣを求める。図７ｃは、対称曲線ＭＣを示している。実体的には、入力値ｒｉと出力値ｒｏとの対応関係を入れ替えた１次元ＬＵＴ（図７ｄ）がＲＡＭ１２上に生成されることとなる。この１次元ＬＵＴは、任意の出力値ｒｏを入力することにより、当該出力値ｒｏに対応する入力値ｒｉを得ることができる１次元ＬＵＴであるということができる。
【００２７】
次に、出力値ｒｏの値域（０〜２５５）を均等に１６分割する１７個の等間隔出力点ｒｏｅ０〜ｒｏｅ１６（ｒｏｅ１〜ｒｏｅ１６＝０，１５・・・２５５）を生成する。そして、図７ｄに示した線対称の１次元ＬＵＴに当該ｒｏｅ０〜ｒｏｅ１６を入力することにより、当該ｒｏｅ０〜ｒｏｅ１６に対応する１７個の入力値ｒｉ（以下、抽出入力点ｒｉｕ０〜ｒｉｕ１６と表記する。）を得る。図７ｃにおいては、横軸を均等に１６分割する１７個の等間隔出力点ｒｏｅ０〜ｒｏｅ１６に対称曲線ＭＣにて対応する縦軸の抽出入力点ｒｉｕ０〜ｒｉｕ１６を抽出したこととなる。このことは、図７ａにおいて、縦軸を均等に１６分割する１７個の等間隔出力点ｒｏｅ０〜ｒｏｅ１６の変換元となる横軸の抽出入力点ｒｉｕ０〜ｒｉｕ１６を抽出することと同じことを意味する。
【００２８】
等間隔出力点ｒｏｅ０〜ｒｏｅ１６が出力値ｒｏの値域において均等に分布するのに対して、これに変換プロファイルＴＦＰ１〜ＴＦＰ５を介して対応する抽出入力点ｒｉｕ０〜ｒｉｕ１６は出力値ｒｉの値域において不等間隔に分布することとなる。以上と同様にＧＢについても等間隔出力点ｇｏｅ０〜ｇｏｅ１６，ｂｏｅ０〜ｂｏｅ１６に対応する抽出入力点ｇｉｕ０〜ｇｉｕ１６，ｂｉｕ０〜ｂｉｕ１６を特定する。なお、本実施形態において変換プロファイルＴＦＰ１〜ＴＦＰ５のいずれもが無彩色のカラーバランスを維持する変換プロファイルであり変換後も等値となるため、抽出入力点ｒｉｕ０〜ｒｉｕ１６の値をそのままＧＢについての抽出入力点ｇｉｕ０〜ｇｉｕ１６，ｂｉｕ０〜ｂｉｕ１６として使用すればよい。等間隔出力点ｒｏｅ０〜ｒｏｅ１６，ｇｏｅ０〜ｇｏｅ１６，ｂｏｅ０〜ｂｏｅ１６の出力色空間であるｗＲＧＢ色空間での分布を考えると、出力色空間の無彩色軸において明度に関して均等に分布するものが等間隔出力点ｒｏｅ０〜ｒｏｅ１６，ｇｏｅ０〜ｇｏｅ１６，ｂｏｅ０〜ｂｏｅ１６として抽出されているということができる。そして、抽出入力点ｒｉｕ０〜ｒｉｕ１６，ｇｉｕ０〜ｇｉｕ１６，ｂｉｕ０〜ｂｉｕ１６に基づく直交格子をＲＧＢ色空間にて生成する。
【００２９】
図８は、入力画像データＩＧＤの色空間であるＲＧＢ色空間において抽出入力点ｒｉｕ０〜ｒｉｕ１６，ｇｉｕ０〜ｇｉｕ１６，ｂｉｕ０〜ｂｉｕ１６に基づいて作成された直交格子を示している。各格子線の位置は抽出入力点ｒｉｕ０〜ｒｉｕ１６，ｇｉｕ０〜ｇｉｕ１６，ｂｉｕ０〜ｂｉｕ１６と等しい位置とされている。そして、各格子線が交わる格子点を代表入力点ＲＩＧとして選択する。実体的にはＲＡＭ１２上に抽出入力点ｒｉｕ０〜ｒｉｕ１６，ｇｉｕ０〜ｇｉｕ１６，ｂｉｕ０〜ｂｉｕ１６の総当たりの組み合わせ生成し、各組み合わせを代表入力点ＲＩＧとして選択する。抽出入力点ｒｉｕ０〜ｒｉｕ１６，ｇｉｕ０〜ｇｉｕ１６，ｂｉｕ０〜ｂｉｕ１６は、それぞれ１７個得られているため、代表入力点ＲＩＧは１７3個選択されることとなる。
【００３０】
ここで、各格子線の位置を規定する抽出入力点ｒｉｕは出力値ｒｉの値域において不等間隔に分布するため、代表入力点ＲＩＧはＲＧＢ色空間において不均一かつ不等間隔に分布することとなる。代表入力点ＲＩＧのうちＲＧＢの値が等値となる１７個の無彩色入力点（ｒｉｕ０，ｇｉｕ０，ｂｉｕ０），（ｒｉｕ１，ｇｉｕ１，ｂｉｕ１）・・・（ｒｉｕ１６，ｇｉｕ１６，ｂｉｕ１６）の無彩色軸上における分布も不等間隔となっている。以上のようにして入力画像データＩＧＤの色空間であるＲＧＢ色空間から１７3個の代表入力点ＲＩＧを選択すると、図２のステップＳ１３０にて逐次変換部Ｍ３が代表入力点ＲＩＧを取得し、各代表入力点ＲＩＧを変換プロファイルＴＦＰ１〜ＴＦＰ５によって順次変換する。
【００３１】
図９は、代表入力点ＲＩＧを変換プロファイルＴＦＰ１〜ＴＦＰ５によって順次変換する様子を模式的に示している。このときの変換順序は、変換手順設定部Ｍ１がステップＳ１１０にて設定した一連の変換手順と同一とされる。従って、代表入力点ＲＩＧとしてのＲＧＢの色信号を入力し、変換プロファイルＴＦＰ１〜ＴＦＰ５によって順次変換していくことにより、最終的に出力画像データＯＧＤの色空間であるｗＲＧＢの色信号を得ることができる。最終的に得られたｗＲＧＢ色空間のＲＧＢ信号を代表出力点ＲＯＧと示すものとする。ここで、代表入力点ＲＩＧのうちＲＧＢの値が等値となる１７個の無彩色入力点（ｒｉｕ０，ｇｉｕ０，ｂｉｕ０），（ｒｉｕ１，ｇｉｕ１，ｂｉｕ１）・・・（ｒｉｕ１６，ｇｉｕ１６，ｂｉｕ１６）を変換した代表出力点ＲＯＧは、ｗＲＧＢ色空間における彩色軸上にて等間隔に分布する等間隔出力点（ｒｏｅ０，ｇｏｅ０，ｂｏｅ０），（ｒｏｅ１，ｇｏｅ１，ｂｏｅ１）・・・（ｒｏｅ１６，ｇｏｅ１６，ｂｏｅ１６）となる。
【００３２】
ステップＳ１２３において、無彩色軸上の等間隔出力点ｒｏｅ０〜ｒｏｅ１６，ｇｏｅ０〜ｇｏｅ１６，ｂｏｅ０〜ｂｏｅ１６の変換元となる抽出入力点ｒｉｕ０〜ｒｉｕ１６，ｇｉｕ０〜ｇｉｕ１６，ｂｉｕ０〜ｂｉｕ１６を選択しているからである。従って、ｗＲＧＢ色空間における無彩色軸上にて代表出力点ＲＯＧを均等に分布させることができる。すべての代表入力点ＲＩＧについて代表出力点ＲＯＧが求められると、ステップＳ１４０において変換手順設定部Ｍ１による変換前後の代表入力点ＲＩＧと代表出力点ＲＯＧとの対応関係を記述した３次元ＬＵＴ（以下、合成ＬＵＴと示すものとする。）をＬＵＴ作成部Ｍ４が作成する。代表入力点ＲＩＧは１７3個選択されているため、１７3組の代表入力点ＲＩＧと代表出力点ＲＯＧとの対応関係が合成ＬＵＴに記述される。
【００３３】
図１０は、合成ＬＵＴの一例を示している。同図の合成ＬＵＴにおいて、代表入力点ＲＩＧと代表出力点ＲＯＧとが横方向に対応付けられており、具体的な代表入力点ＲＩＧと代表出力点ＲＯＧの色信号値が記述されている。合成ＬＵＴは、例えばＲＡＭ１２に記憶される。ここで、合成ＬＵＴに規定される代表入力点ＲＩＧのうちＲＧＢが等値となる１７個の無彩色入力点（ｒｉｕ０，ｇｉｕ０，ｂｉｕ０），（ｒｉｕ１，ｇｉｕ１，ｂｉｕ１）・・・（ｒｉｕ１６，ｇｉｕ１６，ｂｉｕ１６）に対応付けられた１７個の代表出力点ＲＯＧは、出力画像データＯＧＤの色空間においてＲＧＢが等値な無彩色軸上において均等かつ等間隔に分布することとなる。
【００３４】
図１１は、出力画像データＯＧＤのｗＲＧＢ色空間における代表出力点ＲＯＧの分布をＢ軸方向から見て示している。同図においては、Ｒ＝Ｇとなる無彩色軸に１７個の代表出力点ＲＯＧ（ｒｏｅ０−ｇｏｅ０〜ｒｏｅ１７−ｇｏｅ１７）が均等かつ等間隔に分布し、その他の領域の代表出力点ＲＯＧも厳密には均等ではないものの全体的にほぼ均等な分布となっている。無彩色軸はガマットマッピング等の特異な変換処理の影響を受ける可能性が少ないとともに、色空間の全領域に対して均等に近い位置に存在しているため、無彩色軸の変換特性に類似した変換特性を他の領域も有していると考えることができる。また、無彩色軸は色空間のハイライト（白）からローライト（黒）までを貫通しているため、無彩色軸の変換特性には全体的な変換特性が反映されていると考えることができる。
【００３５】
従って、無彩色軸の変換特性のもとで代表出力点ＲＯＧを均等に分布させる抽出入力点ｒｉｕ０〜ｒｉｕ１６，ｇｉｕ０〜ｇｉｕ１６，ｂｉｕ０〜ｂｉｕ１６の値の組み合わせによって代表入力点ＲＩＧを選択することにより、色空間の全体にわたって無彩色軸上とほぼ同様に代表出力点ＲＯＧを略均等に分布させることができる。無彩色のごく限られた数のサンプル入力点ＳＩＰのみについてサンプリングすることにより、代表出力点ＲＯＧを色空間全体にほぼ均等に分布させることができるため、処理負荷の増大を抑制することができる。また、本実施形態のように複数の変換プロファイルＴＦＰ１〜ＴＦＰ５を合成ＬＵＴ化する場合、複数の一連の変換プロファイルＴＦＰ１〜ＴＦＰ５が介在するため総合的な変換特性を予測することは困難である。これに対して、実際に少数のサンプル入力点ＳＩＰを一連の変換プロファイルＴＦＰ１〜ＴＦＰ５によって順次変換してサンプル出力点ＳＯＰを得ており、サンプル出力点ＳＯＰの分布状況により総合的な変換特性を簡易かつ正確に把握することができる。
【００３６】
ステップＳ１５０においては、ＬＵＴ変換部Ｍ５が入力画像データＩＧＤを取得するとともに、合成ＬＵＴを参照することにより入力画像データＩＧＤを出力画像データＯＧＤに変換する。具体的には、入力画像データＩＧＤの各画素のＲＧＢ色信号を取得するとともに、各ＲＧＢ色信号に対応するｗＲＧＢ色空間のＲＧＢ色信号を合成ＬＵＴを参照して取得する。入力画像データＩＧＤを構成する画素のＲＧＢ色信号が合成ＬＵＴに記述された代表入力点ＲＩＧと一致する場合には、合成ＬＵＴに対応付けて記述されたｗＲＧＢ色空間の色信号を取得すればよい。一方、画素のＲＧＢ色信号が合成ＬＵＴに記述された代表入力点ＲＩＧと一致しない場合には、補間処理によって対応するｗＲＧＢ色空間の色信号を算出する。
【００３７】
図１２は、補間処理の一例を模式的に示している。同図においては、六面体補間を用いて補間演算を行っている。同図において、合成ＬＵＴに規定された８点の代表入力点ＲＩＧ（Ｐ０〜Ｐ７）によってＲＧＢ空間の六面体が形成されている。なお、点Ｐ０〜Ｐ７について合成ＬＵＴにて対応付けられたｗＲＧＢ色空間の代表出力点ＲＯＧの値をそれぞれ（Ｒ０〜Ｒ７，Ｇ０〜Ｇ７，Ｂ０〜Ｂ７）と示すものとする。ここで、ＲＧＢ色信号の値が代表入力点ＲＩＧ（Ｐ０〜Ｐ７）のいずれにも一致せず、Ｐ０〜Ｐ７に囲まれた六面体の内側に位置する任意のＲＧＢ色信号（Ｐｘ）が入力されたものとする。
【００３８】
まず、点Ｐ０と点Ｐｘを互いに対向する頂角とする六面体の体積Ｖ０と、点Ｐ１と点Ｐｘを互いに対向する頂角とする六面体の体積Ｖ１と、点Ｐ２と点Ｐｘを互いに対向する頂角とする六面体の体積Ｖ２と、点Ｐ３と点Ｐｘを互いに対向する頂角とする六面体の体積Ｖ３と、点Ｐ４と点Ｐｘを互いに対向する頂角とする六面体の体積Ｖ４と、点Ｐ５と点Ｐｘを互いに対向する頂角とする六面体の体積Ｖ５と、点Ｐ６と点Ｐｘを互いに対向する頂角とする六面体の体積Ｖ６と、点Ｐ７と点Ｐｘを互いに対向する頂角とする六面体の体積Ｖ７（Ｖ０＋Ｖ１＋Ｖ２＋Ｖ３＋Ｖ４＋Ｖ５＋Ｖ６＋Ｖ７＝１）を算出する。各体積Ｖ０〜Ｖ６はＹＣｂＣｒ空間における各点Ｐ０〜Ｐ７，Ｐｘの座標から求めることができる。
【００３９】
そして、求めたい点ＰｘのＲＧＢの値（Ｒｘ，Ｇｘ，Ｂｘ）を下記式（１）によって算出する。
（数１）
Ｒｘ＝Ｖ０＊Ｒ７＋Ｖ１＊Ｒ６＋Ｖ２＊Ｒ５＋Ｖ３＊Ｒ４
＋Ｖ４＊Ｒ３＋Ｖ５＊Ｒ２＋Ｖ６＊Ｒ１＋Ｖ７＊Ｒ０
Ｇｘ＝Ｖ０＊Ｇ７＋Ｖ１＊Ｇ６＋Ｖ２＊Ｇ５＋Ｖ３＊Ｇ４              ・・（１）
＋Ｖ４＊Ｇ３＋Ｖ５＊Ｇ２＋Ｖ６＊Ｇ１＋Ｖ７＊Ｇ０
Ｂｘ＝Ｖ０＊Ｂ７＋Ｖ１＊Ｂ６＋Ｖ２＊Ｂ５＋Ｖ３＊Ｂ４
＋Ｖ４＊Ｂ３＋Ｖ５＊Ｂ２＋Ｖ６＊Ｂ１＋Ｖ７＊Ｂ０
【００４０】
上記式においては、点Ｐｘを挟んで反対側の六面体の体積をＶ０〜Ｖ７による重み付けを行いつつ点Ｐ０〜Ｐ７のＲＧＢの値を線形的に結合することにより、任意の点Ｐｘに対応する出力点のＲＧＢの値（Ｒｘ，Ｇｘ，Ｂｘ）が算出される。このような補間処理を順次行っていくことにより、入力画像データＩＧＤを構成する各画素に対応するｗＲＧＢ色空間のＲＧＢ色信号を算出していくことができる。なお、六面体補間は一例であり、本発明において他の補間手法を適用することも可能である。
【００４１】
上記式（１）の補間式においては、隣接する代表出力点ＲＯＧの間の距離が大きく、その間に非線形な変換特性が含まれる場合でも一様に線形的に補間値が予測される。従って、代表出力点ＲＯＧの分布が疎となる領域の非線形変換精度が劣化してしまう。これに対して、本実施形態では代表出力点ＲＯＧを全体的にほぼ等間隔に分布させているため、全体的に高い補間精度を実現することができる。特に、無彩色軸については厳密に代表出力点ＲＯＧを等間隔に分布させているため、無彩色について非常に安定した補間精度を実現することができ、例えばモノクログレースケールの画像変換を精度よく行うことができる。また、体積Ｖ０〜Ｖ７の算出に使用される代表入力点ＲＩＧ（Ｐ０〜Ｐ７）は、入力画像データＩＧＤの色空間において直交格子上に存在するため、歪みのない六面体により簡易な計算で体積Ｖ０〜Ｖ７を算出することができ、高速に補間処理を行うことができる。
【００４２】
以上のようにして、すべての画素についてＲＧＢ色信号が求められると、各画素が当該ＲＧＢ色信号を有する画像データを出力画像データＯＧＤとして生成する。生成（変換）された出力画像データＯＧＤは、ステップ１６０にて印刷データ生成部Ｍ６に出力され、印刷データ生成部Ｍ６にてプリンタ２０が処理可能な印刷データに変換される。これにより、プリンタ２０が印刷データに基づいて駆動し、入力画像データＩＧＤに対応する画像を印刷することができる。
【００４３】
（３）変形例
以上においては変換手順設定部Ｍ１が入力画像データＩＧＤの色空間と出力画像データＯＧＤの色空間に応じて変換手順が決定されるものを例示したが、入力画像データＩＧＤの特徴情報に応じて変換手順が設定されるものに本発明を適用してもよい。例えば、上述した変換プロファイルＴＦＰ５による変換の後にさらに変換プロファイルＴＦＰ６による変換を行うことにより画質調整を行うようにしてもよい。この場合でも、サンプル入力点ＳＩＰを変換プロファイルＴＦＰ１〜ＴＦＰ６に順次変換するサンプリングを行うことによって全体の変換特性を調査し、当該変換特性に基づいて最終の変換プロファイルＴＦＰ６による変換後の色空間にて代表出力点ＲＯＧが均等に分布する合成ＬＵＴを作成することができる。
【００４４】
図１３は、変換プロファイルＴＦＰ６の例として明度補正を行う変換プロファイルを示している。同図において、後述するｗＲＧＢ色空間のＲＧＢチャネルについて変換プロファイルＴＦＰ６によって変換される入力値（横軸）と出力値（縦軸）との関係が示されている。同図に示すように、入力値の値域の低階調側１／４（６３）において、入力画像データＩＧＤの輝度平均に応じて設定される明度補正量ＢmodだけＲＧＢチャネルの各値を上方修正するように変換プロファイルＴＦＰ６が作成されている。他の部分については、（入力値，出力値）＝（０，０），（６３，６３＋Ｂmod），（２５５，２５５）の３点を通過するスプライン曲線によって補間されている。入力画像データＩＧＤの平均輝度に応じて明度補正量Ｂmodは可変であり、それに応じて入力値と出力値の関係も可変となるため、変換プロファイルＴＦＰ６は入力画像データＩＧＤに応じた可変プロファイルであるということができる。
【００４５】
なお、変換プロファイルＴＦＰ６は、ＲＧＢチャネルの色信号の格子点上の入力値の組み合わせ（例えば、１７3個の格子点。）のそれぞれについて対応する出力値を記述した３次元ＬＵＴとして作成される。ただし、ＲＧＢチャネルの色信号が変換結果に関して相互依存しないため、１次元ＬＵＴとして可変プロファイルを作成することも可能である。以上のような可変プロファイルによれば、入力画像データＩＧＤの平均輝度が小さく全体的に暗い入力画像データＩＧＤに対して明度を上方修正する補正を行うことができる。この上方修正量は、平均輝度が小さければ小さいほど大きくなるため、各入力画像データＩＧＤに適した明度補正を自動的に行うことができる。このような、可変プロファイルを合成ＬＵＴ化させる一連の変換プロファイルに組み入れた場合、ますます総合的な変換特性を把握するのが困難となる。このような場合であっても、実際にサンプル入力点ＳＩＰを一連の変換プロファイルＴＦＰ１〜ＴＦＰ６にて順次変換しサンプル出力点ＳＯＰを得ることにより、容易に総合的な変換特性を把握することができ、合成ＬＵＴに規定する代表出力点ＲＯＧを最終の出力画像データＯＧＤの色空間において均等に分布させることができる。
【００４６】
上述した実施形態ではＲＧＢの色空間でサンプル入力点ＳＩＰを選択したが、入力画像データＩＧＤが他の色空間であれば当該他の色空間にてサンプル入力点ＳＩＰを選択することとなる。例えば、入力画像データＩＧＤがＬａｂ色空間であった場合、Ｌ軸に沿ってサンプル入力点ＳＩＰを選択すれば、無彩色軸上のサンプル入力点ＳＩＰを選択することができる。また、サンプル入力点ＳＩＰは無彩色軸上から選択されるものに限られない。例えば、彩度や色相に関して調整を行う変換プロファイルをＬＵＴ化する場合には、入力画像データＩＧＤの色空間において彩度や色相が線形的に変動する線上からサンプル入力点ＳＩＰを選択するようにしてもよい。この場合、彩度や色相に関して均等な代表出力点ＲＯＧが規定されたＬＵＴを作成することができる。また、サンプル入力点ＳＩＰは必ずしも入力画像データＩＧＤの色空間における線上から選択される必要はなく、色空間における所定の平面上から選択されてもよい。この場合でも、３次元色空間の全体について変換特性を把握するよりも処理の負荷を軽減することができる。
【００４７】
また、上述した実施形態では各変換プロファイルが無彩色のカラーバランスを維持するものであり、入力空間での無彩色軸上のサンプル入力点ＳＩＰが出力空間でも無彩色軸上のサンプル出力点ＳＯＰに変換されるものを例示したが、無彩色のカラーバランスを維持しない変換プロファイルに対しても本発明を適用することができる。無彩色のカラーバランスを維持しない変換プロファイルの場合、入力空間での無彩色軸上のサンプル入力点ＳＩＰを変換すると、サンプル出力点ＳＯＰは出力空間の無彩色軸からずれた線上に分布することとなる。しかし、サンプル出力点ＳＯＰが分布する線が出力空間の無彩色軸から大きくずれることはないため、厳密には無彩色でないものの出力空間の少なくとも無彩色付近の領域については代表出力点ＲＯＧの均等性を確保することができる。カラーバランスが崩れる場合、ＲＧＢ各チャネルを個別に評価することによって分布の均等性を評価することはできないため、例えばサンプル出力点ＳＯＰのＲＧＢから輝度を算出し、輝度に関して均等なサンプル出力点ＳＯＰを探索するようにしてもよい。
【００４８】
図１４は、さらに別の変形例にかかる画像変換装置の構成を示している。同図において、上述した実施形態と同様の機能がプリンタ１２０の制御部Ｃにおいて実行されている。すなわち、プリンタ１２０はいわゆるダイレクトプリントが可能なプリンタである。制御部ＣにおいてプリントアプリケーションＰが実行されており、プリンタ１２０が上述した画像変換処理を同様に実行することが可能となっている。一般的にプリンタ１２０に採用されるＣＰＵやＲＡＭは、パーソナルコンピュータに備えられるＣＰＵやＲＡＭよりも処理能力が劣るため、簡易なサンプリングを用いて出力画像データＯＧＤの色空間において均等に代表出力点ＲＯＧを分布させることができる本発明を適用することの効果は大きいと言える。
【図面の簡単な説明】
【００４９】
【図１】本発明の一実施形態にかかる画像変換装置のブロック図である。
【図２】画像変換処理のフローチャートである。
【図３】変換手順の一例を示す模式図である。
【図４】代表入力点選択処理のフローチャートである。
【図５】サンプル入力点ＳＩＰの分布を説明する図である。
【図６】サンプル出力点ＳＯＰを算出する様子を説明する図である。
【図７】代表入力点ＲＩＧを選択する様子を説明する図である。
【図８】合成ＬＵＴにおける代表入力点ＲＩＧの分布を示す図である。
【図９】代表出力点ＲＯＧを算出する様子を説明する図である。
【図１０】合成ＬＵＴを示す図である。
【図１１】合成ＬＵＴにおける代表出力点ＲＯＧの分布を示す図である。
【図１２】補間処理を説明する図である。
【図１３】変形例にかかる可変プロファイルを説明する図である。
【図１４】変形例にかかる画像変換装置のブロック図である。
【符号の説明】
【００５０】
１０…コンピュータ、１０ａ…バス、１１…ＣＰＵ、１２…ＲＡＭ、１３…ＲＯＭ、１４…ＨＤＤ、１５…ＵＳＢＩ／Ｆ、１６…ビデオＩＦ、１７…入力Ｉ／Ｆ、２０…プリンタ、３０…ＤＳＣ、４０…ディスプレイ、５０ａ…キーボード、５０ｂ…マウス、Ｐ…プリントアプリケーション、Ｍ１…変換手順設定部、Ｍ２…代表点選択部、Ｍ３…逐次変換部、Ｍ４…ＬＵＴ作成部、Ｍ５…ＬＵＴ変換部、Ｍ６…印刷データ生成部、ＩＧＤ…入力画像データ、ＯＧＤ…出力画像データ、ＲＩＧ…代表入力点、ＲＯＧ…代表出力点、ＳＩＰ…サンプル入力点、ＳＯＰ…サンプル出力点。
【図１】
2008227954.tif 000003
【図２】
2008227954.tif 000004
【図３】
2008227954.tif 000005
【図４】
2008227954.tif 000006
【図５】
2008227954.tif 000007
【図６】
2008227954.tif 000008
【図７】
2008227954.tif 000009
【図８】
2008227954.tif 000010
【図９】
2008227954.tif 000011
【図１０】
2008227954.tif 000012
【図１１】
2008227954.tif 000013
【図１２】
2008227954.tif 000014
【図１３】
2008227954.tif 000015
【図１４】
2008227954.tif 000016